(57)【要約】【課題】複数のサービスを利用可能なシステムにおいて、様々なコンテンツを提供可能とすること。【解決手段】マルチスピーカーシステム１は、複数のスピーカー装置２〜４を備える。スピーカー装置２のＳｏＣ２１は、音楽サービスＡから、楽曲Ａを検索する。ＳｏＣ２１は、音楽サービスＡ内に楽曲Ａがあれば、楽曲Ａを再生し、楽曲Ａをスピーカー装置３、４に送信する。ＳｏＣ２１は、音楽サービスＡ内に楽曲Ａがなければ、次の識別番号が割り当てられたスピーカー装置３に、楽曲検索要求を送信する。【選択図】図１
2020046694.tif 000002
【特許請求の範囲】
【請求項１】
複数のサービスから所定のコンテンツを検索することを特徴とするシステム。
【請求項２】
サービスにアクセスするためのアプリケーションがインストールされていることを特徴とする請求項１に記載のシステム。
【請求項３】
複数のサービスにそれぞれアクセスするための複数のアプリケーションがインストールされている電子機器を備えることを特徴とする請求項１又は２に記載のシステム。
【請求項４】
サービスにアクセスするためのアプリケーションがインストールされている複数の電子機器を備えることを特徴とする請求項１又は２に記載のシステム。
【請求項５】
複数の電子機器は、他の電子機器にコンテンツを出力するマスターとなる電子機器を含み、
所定のコンテンツを提供可能なサービスにアクセスするためのアプリケーションがインストールされている電子機器が、マスターとなることを特徴とする請求項４に記載のシステム。
【請求項６】
複数のサービスから所定のコンテンツを検索し、所定のコンテンツが存在する場合、そのコンテンツを再生することを特徴とする請求項１〜５のいずれか１項に記載のシステム。
【請求項７】
複数の電子機器のうち、いずれかの電子機器が、仮のマスターとなり、
仮のマスターとなった電子機器が、自機器及び他の電子機器に、識別番号を割り当てることを特徴とする請求項５に記載のシステム。
【請求項８】
仮のマスターとなった電子機器は、複数のサービスから、所定のコンテンツを検索し、所定のコンテンツがなかった場合、次の識別番号が割り当てられた電子機器に、コンテンツ検索要求を送信することを特徴とする請求項７に記載のシステム。
【請求項９】
仮のマスターとなった電子機器は、複数のサービスから、所定のコンテンツを検索し、所定のコンテンツがあった場合、マスターとなることを特徴とする請求項８に記載のシステム。
【請求項１０】
電子機器は、コンテンツ検索要求を受信した場合、仮のマスターとなることを特徴とする請求項８又は９に記載のシステム。
【発明の詳細な説明】
【技術分野】
【０００１】
本発明は、複数のサービスを利用可能なシステムに関する。
【背景技術】
【０００２】
複数の音楽再生サービスを利用可能なシステムがある。例えば、システムは、Ａ社が提供する音楽サービス（音楽サービスＡ）、Ｂ社が提供する音楽サービス（音楽サービスＢ）等の複数の音楽再生サービスを利用することができる。また、例えば、システムは、複数のスピーカー装置から構成され、複数のスピーカー装置で同じ音楽を再生可能な、マルチルーム再生を行うシステムである場合もある（特許文献１参照。）。スピーカー装置には、それぞれ、アカウントが登録されており、例えば、あるスピーカー装置は、音楽サービスＡを利用可能である。また、例えば、別のスピーカー装置は、音楽サービスＢを利用可能である。音楽サービスＡと音楽サービスＢとでは、ユーザーに提供可能な楽曲が異なる場合がある。
【先行技術文献】
【特許文献】
【０００３】
【特許文献１】特開２０１７−２１６７０４号公報
【発明の概要】
【発明が解決しようとする課題】
【０００４】
他のスピーカー装置に音楽を出力するマスターを、例えば、音楽サービスＡを利用可能なスピーカーに固定すると、音楽サービスＡが提供可能な楽曲（コンテンツ）しか利用することができず、例えば、ユーザーは、音楽サービスＡが提供できない楽曲で、音楽サービスＢが提供可能な楽曲を利用できないという問題がある。
【０００５】
本発明の目的は、複数のサービスを利用可能なシステムにおいて、様々なコンテンツを提供可能とすることである。
【課題を解決するための手段】
【０００６】
第１の発明のシステムは、複数のサービスから所定のコンテンツを検索することを特徴とする。
【０００７】
本発明では、複数のサービスから所定のコンテンツを検索する。これにより、複数のコンテンツから所定のコンテンツが検索されるため、様々なコンテンツをユーザーに提供することができる。
【０００８】
第２の発明のシステムは、第１の発明のシステムにおいて、サービスにアクセスするためのアプリケーションがインストールされていることを特徴とする。
【０００９】
第３の発明のシステムは、第１又は第２の発明のシステムにおいて、複数のサービスにそれぞれアクセスするための複数のアプリケーションがインストールされている電子機器を備えることを特徴とする。
【００１０】
第４の発明のシステムは、第１又は第２の発明のシステムにおいて、サービスにアクセスするためのアプリケーションがインストールされている複数の電子機器を備えることを特徴とする。
【００１１】
第５の発明のシステムは、第４の発明のシステムにおいて、複数の電子機器は、他の電子機器にコンテンツを出力するマスターとなる電子機器を含み、所定のコンテンツを提供可能なサービスにアクセスするためのアプリケーションがインストールされている電子機器が、マスターとなることを特徴とする。
【００１２】
第６の発明のシステムは、第１〜第５のいずれかの発明のシステムにおいて、複数のサービスから所定のコンテンツを検索し、所定のコンテンツが存在する場合、そのコンテンツを再生することを特徴とする。
【００１３】
第７の発明のシステムは、第５の発明のシステムにおいて、複数の電子機器のうち、いずれかの電子機器が、仮のマスターとなり、仮のマスターとなった電子機器が、自機器及び他の電子機器に、識別番号を割り当てることを特徴とする。
【００１４】
第８の発明のシステムは、第７の発明のシステムにおいて、仮のマスターとなった電子機器は、複数のサービスから、所定のコンテンツを検索し、所定のコンテンツがなかった場合、次の識別番号が割り当てられた電子機器に、コンテンツ検索要求を送信することを特徴とする。
【００１５】
第９の発明のシステムは、第８の発明のシステムにおいて、仮のマスターとなった電子機器は、複数のサービスから、所定のコンテンツを検索し、所定のコンテンツがあった場合、マスターとなることを特徴とする。
【００１６】
第１０の発明のシステムは、第８又は第９の発明のシステムにおいて、電子機器は、コンテンツ検索要求を受信した場合、仮のマスターとなることを特徴とする。
【発明の効果】
【００１７】
本発明によれば、様々なコンテンツをユーザーに提供することができる。
【図面の簡単な説明】
【００１８】
【図１】本発明の実施形態に係るマルチルームスピーカーシステムの構成を示すブロック図である。
【発明を実施するための形態】
【００１９】
以下、本発明の実施形態について説明する。図１は、本実施形態に係るマルチスピーカーシステム１を示すブロック図である。図１に示すように、マルチスピーカーシステム１は、複数のスピーカー装置２〜４を備える。なお、本実施形態では、スピーカー装置２〜４は、同じ構成であるため、スピーカー装置２の構成について説明する。また、マルチスピーカーシステム１は、異なるスピーカー装置により、構成されていてもよい。また、スピーカー装置２〜４は、それぞれ、例えば、ベッドルーム、ダイニングルーム、キッチン等の異なる部屋に設置される。
【００２０】
スピーカー装置２（電子機器）は、ＳｏＣ（System on Chip）２１、記憶部２２、Ｄ／Ａコンバーター（以下、「ＤＡＣ」という。）２３、増幅器２４、スピーカー２５、無線モジュール２６、マイク２７を備える。ＳｏＣ２１（制御部）は、ＣＰＵ（Central Processing Unit）、ＤＳＰ（Digital Signal Processor）、メモリ等を有し、スピーカー装置２を構成する各部を制御する。記憶部２２は、音楽サービスにアクセスするためのアプリケーション等を記憶するフラッシュメモリにより構成されている。ＤＡＣ２３は、デジタルオーディオデータを、アナログオーディオデータにＤ／Ａ変換する。増幅器２４は、ＤＡＣ２３がＤ／Ａ変換したアナログオーディオデータを増幅する。スピーカー２５は、増幅器２４が増幅したアナログオーディオデータに基づいて、音声を出力する。
【００２１】
無線モジュール２６は、Ｂｌｕｅｔｏｏｔｈ（登録商標）規格、Ｗｉ−Ｆｉ規格に従った無線通信を行うためのものである。ＳｏＣ２１は、無線モジュール２６を介して、楽曲を配信するサーバー、又は、他のスピーカー装置３、４から、デジタルオーディオデータを受信する。マイク２７は、音声を集音する。ＳｏＣ２１は、マイク２７が集音した音声を、無線モジュール２６を介して、サーバーに送信する。サーバーは、音声認識機能を有しており、受信した音声に応じたコマンド等をスピーカー装置２に返信する。ＳｏＣ２１は、無線モジュール２６を介して、サーバーが送信したコマンド等を受信する。例えば、ユーザーが「楽曲Ａを再生」と発話したとする。この場合、例えば、再生を意味するコマンド「Play」と、テキスト「楽曲Ａ」とが、サーバーからスピーカー装置２に送信される。
【００２２】
マルチスピーカーシステム１において、いずれかのスピーカー装置は、他のスピーカー装置に、楽曲を出力するマスターとなる。マスターとなったスピーカー装置は、音楽サービスを提供するサーバーから、楽曲（デジタルオーディオデータ）を受信する。マスターとなったスピーカー装置は、サーバーから受信した楽曲を再生する。また、マスターとなったスピーカー装置は、他のスピーカー装置に、楽曲を出力する。また、マスター以外のスピーカー装置は、マスターから出力された楽曲を受信する。マスター以外のスピーカー装置は、受信した楽曲を再生する。
【００２３】
スピーカー装置２は、音楽サービスＡを利用可能であるとする。スピーカー装置２には、音楽サービスＡにアクセスするためのアプリケーションがインストールされている。スピーカー装置３は、音楽サービスＢを利用可能であるとする。スピーカー装置３には、音楽サービスＢにアクセスするためのアプリケーションがインストールされている。スピーカー装置４は、音楽サービスＣを利用可能であるとする。スピーカー装置４には、音楽サービスＣを利用するためのアプリケーションがインストールされている。
【００２４】
スピーカー装置２〜４は、同じネットワーク内にある。例えば、スピーカー装置２〜４が同じネットワーク内に検出されたとき、識別用のＩＤ（識別番号）が、各スピーカー装置２〜４に振り分けられる。また、ＩＤは、例えば、ネットワーク内に検出された順に設定される。例えば、スピーカー装置２〜４の順に、ネットワーク内に検出された場合、スピーカー装置２には、ＩＤとして、１、スピーカー装置３には、２、スピーカー装置４には、３が設定される。ＩＤ：１が、マスターの初期値である。
【００２５】
ここでは、最初にネットワークに接続したスピーカー装置２が、仮のマスターとなる。スピーカー装置２のＳｏＣ２１は、自機器２にＩＤ：１を割り当て、スピーカー装置３にＩＤ：２を割り当て、スピーカー装置４にＩＤ：３を割り当てる。また、スピーカー装置２〜４のＳｏＣ２１〜４１は、割り当てられたＩＤと、利用可能な音楽サービスと、を自機器以外のスピーカー装置に通知する。これにより、各スピーカー装置２〜４のＳｏＣ２１〜４１は、ＩＤと音楽サービスとを対応付けて、記憶することができる。
【００２６】
例えば、ユーザーが、「楽曲Ａを再生」と発話したとする。この場合、スピーカー装置２のＳｏＣ２１は、サーバーから送信される「楽曲Ａ」に基づき、音楽サービスＡにおいて、「楽曲Ａ」を検索する。ＳｏＣ２１は、音楽サービスＡ内に楽曲Ａがあれば、楽曲Ａを再生し、スピーカー装置３、４に楽曲Ａを送信する。従って、スピーカー装置２が、マスターとなり、スピーカー装置３、４がスレーブとなる。すなわち、所定の楽曲を提供可能な音楽サービスＡにアクセスするためのアプリケーションがインストールされているスピーカー装置２が、マスターとなる。ＳｏＣ２１は、音楽サービスＡ内に楽曲Ａがない場合、次の識別番号２が割り当てられたスピーカー装置３に楽曲検索要求を送信する。
【００２７】
スピーカー装置３のＳｏＣ３１は、楽曲Ａの楽曲検索要求を受信した場合、仮のマスターとなり、音楽サービスＢにおいて、楽曲Ａを検索する。ＳｏＣ３１は、音楽サービスＢ内に楽曲Ａがあれば、楽曲Ａを再生し、スピーカー装置２、４に楽曲Ａを送信する。従って、スピーカー装置３が、マスターとなり、スピーカー装置２、４がスレーブとなる。ＳｏＣ３１は、音楽サービスＢ内に楽曲Ａがない場合、次の識別番号３が割り当てられたスピーカー装置４に楽曲検索要求を送信する。
【００２８】
スピーカー装置４のＳｏＣ４１は、楽曲Ａの楽曲検索要求を受信した場合、仮のマスターとなり、音楽サービスＣにおいて、楽曲Ａを検索する。ＳｏＣ４１は、音楽サービスＣ内に楽曲Ａがあれば、楽曲Ａを再生し、スピーカー装置２、３に楽曲Ａを送信する。従って、スピーカー装置４が、マスターとなり、スピーカー装置２、３がスレーブとなる。
【００２９】
以上説明したように、本実施形態では、マルチスピーカーシステム１は、複数の音楽サービスから所定の楽曲（コンテンツ）を検索する。これにより、複数の音楽サービスから所定のコンテンツが検索されるため、様々なコンテンツをユーザーに提供することができる。
【００３０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３１】
上述の実施形態においては、スピーカー装置は、１つの音楽サービスを利用可能であった。これに限らず、スピーカー装置が、複数の音楽サービスを利用可能であってもよい。この場合、ＳｏＣは、複数の音楽サービスから、楽曲を検索する。
【００３２】
上述の実施形態においては、音楽サービスから楽曲が検索されるようになっている。これに限らず、サービスからコンテンツが検索されればよく、例えば、動画配信サービス等から、動画等が検索されるようになっていてもよい。
【００３３】
上述の実施形態においては、複数のスピーカー装置が、マルチスピーカーシステムを構成する場合について説明した。これに限らず、複数のサービスを利用可能であれば、例えば、スマートフォンがシステムを構成していてもよい。
【産業上の利用可能性】
【００３４】
本発明は、複数のサービスを利用可能なシステムに好適に採用され得る。
【符号の説明】
【００３５】
１  マルチスピーカーシステム
２〜４  スピーカー装置（電子機器）
２１、３１、４１  ＳｏＣ（制御部）
【図１】
2020046694.tif 000003